(57)【要約】  ボタン（５０、１２０、１３０）を生地（ｃ）に取り付けるに際し、生地（ｃ）が薄くても確実にボタン（５０、１２０、１３０）を生地（ｃ）に取り付けることが可能となり、また、生地屑（ｃ’、ｃ”）がボタン（５０、１２０、１３０）の取り付けに悪影響を及ぼすことがなく、生地屑（ｃ’、ｃ”）の除去作業が不要なボタン用止具（１、６１、７１、８１）を提供する。ボタン用止具（１、６１、７１、８１）は、略円板状のベース部（２０）、及び、ベース部（２０）の中央から上方にベース部（２０）と同心状に突出し、上端（３４、９４、１０４、１１４）に上端開口（３０’、９０’、１００’、１１０’）を有する中空円筒状のポスト部（３０、９０、１００、１１０）を含み、かつベース部（２０）の中央にポスト部（３０、９０、１００、１１０）の下端開口（３０”）を有する止具本体（１０、１０ａ、１０ｂ、１０ｃ）と、止具本体（１０、１０ａ、１０ｂ、１０ｃ）に対し、前記下端開口（３０”）を含むベース部（２０）の下面を覆うように装着されるカバー部材（４０）とから構成される。前記ベース部（２０）は、ポスト部（３０、９０、１００、１１０）に隣接するベース底部（２１）と、ベース底部（２１）の半径方向外側においてベース底部（２１）に対し上方に隆起するベースフランジ部（２２）を含み、前記カバー部材（４０）は、ベース部（２０）の下面側から湾曲してベース部（２０）のベースフランジ部（２２）の上方に隆起する湾曲外周部（４２）を含む。前記ポスト部（３０、９０、１００、１１０）の上端（３４、１０４、１１４）は、ボタン（５０、１２０、１３０）を生地（ｃ）に取り付ける際にボタン（５０、１２０、１３０）との間で生地（ｃ）を切断可能なエッジ（３４、１０４、１１４）として形成され得る。また、前記ポスト部（３０、１１０）は、上端（３４、１１４）から半径方向内側かつ下方に折り返した折返片（３５、１１５）を含み得る。
2011074053.tif 000002
【特許請求の範囲】
【請求項１】
ボタン（５０、１２０、１３０）を生地（ｃ）に取り付けるためのボタン用止具（１、６１、７１、８１）であって、
略円板状のベース部（２０）、及び、ベース部（２０）の中央から上方にベース部（２０）と同心状に突出するポスト部（３０、９０、１００、１１０）を含む止具本体（１０、１０ａ、１０ｂ、１０ｃ）と、
止具本体（１０、１０ａ、１０ｂ、１０ｃ）に対し、ベース部（２０）の下面を覆うように装着されるカバー部材（４０）とを備え、
前記ベース部（２０）は、ポスト部（３０、９０、１００、１１０）に隣接するベース底部（２１）と、ベース底部（２１）の半径方向外側においてベース底部（２１）に対し上方に隆起するベースフランジ部（２２）を含み、
前記カバー部材（４０）は、ベース部（２０）の下面側から湾曲してベース部（２０）のベースフランジ部（２２）の上方に隆起する湾曲外周部（４２）を含むボタン用止具。
【請求項２】
前記ポスト部（３０、９０、１００、１１０）は、上端（３４、９４、１０４、１１４）に開口する上端開口（３０’、９０’、１００’、１１０’）と、ベース部（２０）の中央に開口する下端開口（３０”）とを有する中空円筒状のものである請求項１のボタン用止具。
【請求項３】
前記ポスト部（３０、１００、１１０）の上端（３４、１０４、１１４）は、ボタン（５０、１２０、１３０）を生地（ｃ）に取り付ける際にボタン（５０、１２０、１３０）との間で生地（ｃ）を切断可能なエッジ（３４、１０４、１１４）として形成される請求項１のボタン用止具。
【請求項４】
前記ポスト部（３０、１１０）は、上端（３４、１１４）から半径方向内側かつ下方に折り返した折返片（３５、１１５）を含む請求項３のボタン用止具。
【請求項５】
前記折返片（３５）は、その内周に、ポスト部（３０）の上端（３４）から半径方向内側かつ下方へと緩やかに傾斜する第１傾斜面（３５ａ）と、第１傾斜面（３５ａ）の半径方向内側端から半径方向内側かつ下方へと急激に傾斜する第２傾斜面（３５ｂ）とを有する請求項４のボタン用止具。
【請求項６】
前記ポスト部（３０、１００、１１０）は、前記ベース部（２０）に隣接するポスト基端部（３１）と、上端を含むポスト先端部（３３、１０３、１１３）と、ポスト基端部（３１）とポスト先端部（３３、１０３、１１３）との間に直線状に延びるポスト胴部（３２、１０２、１１２）とを含み、ポスト先端部（３３、１０３、１１３）の外径は、ポスト胴部（３２、１０２、１１２）の上端から半径方向外側に拡大し、ポスト先端部（３３、１０３、１１３）の最大の外径は、ポスト胴部（３２、１０２、１１２）の外径よりも大きい請求項１〜５のいずれか一つのボタン用止具。
【請求項７】
前記ポスト胴部（３２、１１２）、ポスト先端部（３３、１１３）及び折返片（３５、１１５）の厚さは、折返片（３５、１１５）の折り返し部分であるポスト部（３０、１１０）の上端（３４、１１４）付近を除き、ポスト胴部（３２、１１２）の下端から上端へ、次いで、ポスト先端部（３３、１１３）を経て折返片（３５、１１５）の上端から下端へと次第に薄くなる請求項６のボタン用止具。
【請求項８】
ボタン（５０、１２０、１３０）と、ボタン（５０、１２０、１３０）を生地（ｃ）に取り付けるためのボタン用止具（１、６１、７１、８１）とから成るボタン構成体であって、
前記ボタン用止具（１、６１、７１、８１）は、略円板状のベース部（２０）、及び、ベース部（２０）の中央から上方にベース部（２０）と同心状に突出するポスト部（３０、９０、１００、１１０）を含む止具本体（１０、１０ａ、１０ｂ、１０ｃ）と、
止具本体（１０、１０ａ、１０ｂ、１０ｃ）に対し、ベース部（２０）の下面を覆うように装着されるカバー部材（４０）とを備え、
前記ベース部（２０）は、ポスト部（３０、９０、１００、１１０）に隣接するベース底部（２１）と、ベース底部（２１）の半径方向外側においてベース底部（２１）に対し上方に隆起するベースフランジ部（２２）を含み、
前記カバー部材（４０）は、ベース部（２０）の下面側から湾曲してベース部（２０）のベースフランジ部（２２）の上方に隆起する湾曲外周部（４２）を含み、
前記ボタン（５０、１２０、１３０）は、上方に凸となる凸部（５１、１２１、１３１）と、凸部（５１、１２１、１３１）から半径方向外側に延びる環状のフランジ部（５６、１２６、１３６）とを備え、
前記凸部（５１、１２１、１３１）は、生地（ｃ）を貫通した前記ポスト部（３０、９０、１００、１１０）を受け入れ、変形させて係止するためのポスト受入部（５４、１２４、１３４）を内部に規定し、
前記フランジ部（５６、１２６、１３６）は、ポスト部（３０、９０、１００、１１０）がポスト受入部（５４、１２４、１３４）に係止されたボタン取付状態において前記湾曲外周部（４２）と生地（ｃ）を挟んで向かい合うボタン構成体。
【請求項９】
前記ポスト部（３０、９０、１００、１１０）は、上端（３４、９４、１０４、１１４）に開口する上端開口（３０’、９０’、１００’、１１０’）と、ベース部（２０）の中央に開口する下端開口（３０”）とを有する中空円筒状のものである請求項８のボタン構成体。
【発明の詳細な説明】
【技術分野】
【０００１】
本発明は、ボタン用止具及びボタン構成体に関し、更に詳しくは、飾りボタン、スナップボタン等のボタンを生地に取り付けるためのボタン用止具、及び、ボタンとボタン用止具の組合せであるボタン構成体に関する。
【背景技術】
【０００２】
ボタンと、ボタンを生地に取り付けるためのボタン用止具との組み合わせとして、実公昭６０−８７２４号公報、特開２００５−２０４９１１号公報等に開示されるように、ボタン用止具のポスト部を生地に貫通させた後、ボタンの凸部の内部空間であるポスト受入部にポスト部を受け入れ、ポスト受入部内で変形させて係止することにより、ボタンの取り付けが行われるタイプのものが知られている。そのようなボタンの例としては、ジーンズのポケットの隅部分等に取り付けられる飾りボタンや衣服の合わせ目等に取り付けられるスナップボタンの雄スナップ等がある。また、生地は、ボタンが取り付けられた状態で、ボタンのフランジ部とボタン用止具のベース部との間に挟まれる。【０００３】
しかしながら、従来のボタン及びボタン用止具では、生地が薄い場合、ボタンのフランジ部とボタン用止具のベース部との間に生地をしっかりと挟み込むことができず、ボタンを確実に生地に取り付けることができない場合があった。また、ボタンを生地に取り付ける際、ボタン用止具のポスト部が生地を貫通すると、円形状の生地屑が発生するが、従来のボタン用止具では、生地屑がボタンのポスト受入部内に入り込んでポスト部の変形を妨げるなどして、ボタンとボタン用止具の連結に悪影響を及ぼしたり、ボタンの取付作業後に生地屑を除去する作業が別途必要であった。
【先行技術文献】
【特許文献】
【０００４】
【特許文献１】実公昭６０−８７２４号公報
【特許文献２】特開２００５−２０４９１１号
【発明の概要】
【発明が解決しようとする課題】
【０００５】
本発明は、上記のような問題点に鑑みてなされたもので、その目的は、生地が薄くても確実にボタンを生地に取り付けることができるボタン用止具及びボタン構成体を提供することにある。【０００６】
本発明の別の目的は、ボタンの取付時に発生する生地屑がボタンの取り付けに悪影響を及ぼすことがなく、また、生地屑の除去作業が不要なボタン用止具及びボタン構成体を提供することにある。
【課題を解決するための手段】
【０００７】
上記課題を解決するため、本発明によれば、ボタンを生地（織物、フェルト、不織布等の他、皮革、樹脂製シート等を含む）に取り付けるためのボタン用止具であって、略円板状のベース部、及び、ベース部の中央から上方にベース部と同心状に突出するポスト部を含む止具本体と、止具本体に対し、ベース部の下面を覆うように装着されるカバー部材とを備え、前記ベース部は、ポスト部に隣接するベース底部と、ベース底部の半径方向外側においてベース底部に対し上方に隆起するベースフランジ部を含み、前記カバー部材は、ベース部の下面側から湾曲してベース部のベースフランジ部の上方に隆起する湾曲外周部を含むボタン用止具が提供される。【０００８】
本発明では、ボタンを生地に取り付ける際、生地が、ボタンと、ボタン用止具のカバー部材の湾曲外周部との間で挟まれるが、カバー部材の湾曲外周部は、止具本体のベース部において上方に隆起するベースフランジ部よりも更に上方に隆起しているため、ボタンの取付時に生地を挟んで向かい合うボタンと湾曲外周部との間隔が狭く、より薄い生地へのボタンの取り付けが可能となる。【０００９】
本発明の一実施形態において、前記ポスト部は、上端に開口する上端開口と、ベース部の中央に開口する下端開口とを有する中空円筒状のものである。ボタンを生地に取り付ける際、ボタン用止具のポスト部が生地を切断、貫通して円形状の生地屑が発生するが、この生地屑はポスト部の上端開口からポスト部の内部に取り込まれるため、生地屑がポスト部の変形を妨げるようなことはない。更に、カバー部材が止具本体のベース部の下面を覆い、ポスト部の下端開口を閉じるため、ボタンの生地への取り付け時に発生した上記生地屑は、ポスト部の上端開口からポスト部内に取り込まれた後、ポスト部の下端開口から外部へは排出されず、ポスト部内に留まる。【００１０】
本発明における止具本体及びカバー部材は、アルミニウム、鉄、ステンレス合金・真鍮を含む銅合金等の金属製の板を絞り加工等して形成され得る。【００１１】
本発明の一実施形態において、前記ポスト部の上端は、ボタンを生地に取り付ける際にボタンとの間で生地を切断可能なエッジとして形成される。ポスト部の上端をエッジとすることにより、ポスト部による生地の切断、貫通を円滑に行うことができる。【００１２】
本発明の一実施形態において、前記ポスト部は、上端から半径方向内側かつ下方に折り返した折返片を含む。折り返し片は、ポスト部の先端部を補強したり、ポスト部の上端のエッジを効き易くしたりする役割を果たす。【００１３】
本発明の一実施形態において、前記折返片は、その内周に、ポスト部の上端から半径方向内側かつ下方へと緩やかに傾斜する第１傾斜面と、第１傾斜面の半径方向内側端から半径方向内側かつ下方へと急激に傾斜する第２傾斜面とを有する。第１傾斜面は、ポスト部の先端部の外周面と共に先端のエッジを形成し、また、ポスト部のエッジで生地を切断する直前において、生地をボタン側に押し付けて生地の姿勢を保つことにより、エッジの効きを良くして、生地の切断が円滑に行われるようにする役割を果たす。【００１４】
本発明の一実施形態において、前記ポスト部は、前記ベース部に隣接するポスト基端部と、上端を含むポスト先端部と、ポスト基端部とポスト先端部との間に直線状に延びるポスト胴部とを含み、ポスト先端部の外径は、ポスト胴部の上端から半径方向外側に拡大し、ポスト先端部の最大の外径は、ポスト胴部の外径よりも大きい。このように、ポスト先端部をポスト胴部よりも半径方向外側に膨出させることにより、ポスト部の上端開口を拡大して、ボタンの生地への取り付け時にポスト部の上端が切断する生地屑をポスト部内に取り込み易くすることができる。【００１５】
本発明の一実施形態において、前記ポスト胴部、ポスト先端部及び折返片の厚さは、折返片の折り返し部分であるポスト部の上端付近を除き、ポスト胴部の下端から上端へ、次いで、ポスト先端部を経て折返片の上端から下端へと次第に薄くなる。このようにポスト胴部、ポスト先端部及び折返片の厚さをこの順に次第に薄くすることにより、厚さが一定の場合に比べ、折返片を折り返す際の負荷を小さくすることができ、加工性が高まる。【００１６】
別の本発明によれば、ボタンと、ボタンを生地に取り付けるためのボタン用止具とから成るボタン構成体であって、前記ボタン用止具は、略円板状のベース部、及び、ベース部の中央から上方にベース部と同心状に突出するポスト部を含む止具本体と、止具本体に対し、ベース部の下面を覆うように装着されるカバー部材とを備え、前記ベース部は、ポスト部に隣接するベース底部と、ベース底部の半径方向外側においてベース底部に対し上方に隆起するベースフランジ部を含み、前記カバー部材は、ベース部の下面側から湾曲してベース部のベースフランジ部の上方に隆起する湾曲外周部を含み、前記ボタンは、上方に凸となる凸部と、凸部から半径方向外側に延びる環状のフランジ部とを備え、前記凸部は、生地を貫通した前記ポスト部を受け入れ、変形させて係止するためのポスト受入部を内部に規定し、前記フランジ部は、ポスト部がポスト受入部に係止されたボタン取付状態において前記湾曲外周部と生地を挟んで向かい合うボタン構成体が提供される。【００１７】
本発明では、ボタンを生地に取り付ける際、生地が、ボタンのフランジ部と、ボタン用止具のカバー部材の湾曲外周部との間で挟まれるが、カバー部材の湾曲外周部は、止具本体のベース部において上方に隆起するベースフランジ部よりも更に上方に隆起しているため、ボタンの取付時に生地を挟んで向かい合うボタンのフランジ部と湾曲外周部との間隔が狭く、より薄い生地へのボタンの取り付けが可能となる。【００１８】
本発明の一実施形態において、前記ポスト部は、上端に開口する上端開口と、ベース部の中央に開口する下端開口とを有する中空円筒状のものである。ボタンを生地に取り付ける際、ボタン用止具のポスト部が生地を切断、貫通して円形状の生地屑が発生するが、この生地屑はポスト部の上端開口からポスト部の内部に取り込まれるため、生地屑がポスト部の変形を妨げるようなことはない。更に、カバー部材が止具本体のベース部の下面を覆い、ポスト部の下端開口を閉じるため、ボタンの生地への取り付け時に発生した上記生地屑は、ポスト部の上端開口からポスト部内に取り込まれた後、ポスト部の下端開口から外部へは排出されず、ポスト部内に留まる。
【発明の効果】
【００１９】
本発明では、ボタン用止具を止具本体とカバー部材から構成し、止具本体のベース部における上方に隆起するベースフランジ部の更に上方にカバー部材の湾曲外周部が隆起することにより、ボタンをボタン用止具で生地に取り付けた状態で生地を挟むボタン用止具の湾曲外周部とボタン（のフランジ部）との間隔を狭くして、薄い生地に対してボタンを確実に取り付けることが可能となる。【００２０】
また、ボタンの生地への取り付け時にボタン用止具のポスト部がその上端から生地を切断、貫通して生じる生地屑は、ポスト部の上端開口からポスト部の内部に取り込まれるため、生地屑がポスト部の変形やボタンとボタン用止具の連結に悪影響を及ぼすようなことはない。更に、ボタン用止具において、ポスト部の下端開口を含むベース部の下面をカバー部材で覆うことにより、ポスト部の上端開口からポスト部内に取り込まれた生地屑が下端開口から外部へ排出されないため、生地屑の除去作業が別途必要になることはない。
【図面の簡単な説明】
【００２１】
【図１】図１は、本発明の一実施形態に係るボタン用止具の斜視図である。
【図２】図２は、図１の縦断面図である。
【図３】図３は、ボタン用止具のポスト先端部及び折返片を拡大して示す縦断面図である。
【図４】図４は、生地に対するボタン及びボタン用止具の配置状態を示す断面説明図である。
【図５】図５は、ボタンの取付工程におけるボタン用止具による生地の切断直前の状態を示す断面説明図である。
【図６】図６は、ボタンの取付工程におけるボタン用止具による生地の切断直後の状態を示す断面説明図である。
【図７】図７は、ボタンの取付工程におけるボタン用止具の変形途中の状態を示す断面説明図である。
【図８】図８は、ボタンの取付工程におけるボタン用止具の変形後の取付完了状態を示す断面説明図である。
【図９】図９は、本発明の別の実施形態に係るボタン用止具の縦断面図である。
【図１０】図１０は、本発明の別の実施形態に係るボタン用止具の縦断面図である。
【図１１】図１１は、本発明の別の実施形態に係るボタン用止具の縦断面図である。
【図１２】図１２は、ボタンとして別の形態の飾りボタンを用いた例を示す図８と同様の断面説明図である。
【図１３】図１３は、ボタンとして雄スナップボタンを用いた例を示す図８と同様の断面説明図である。
【発明を実施するための形態】
【００２２】
以下、本発明の好適な実施形態を図面を参照しつつ説明する。図１及び２は、本発明の一実施形態に係るボタン用止具（以下単に「止具」ともいう）１の斜視図及び縦断面図である。止具１は、それぞれ真鍮、アルミニウム合金等の金属製の板を絞り加工して形成した止具本体１０とカバー部材（シェル）４０から構成される。止具本体１０は、略円板状のベース部２０と、ベース部２０の中央から上方にベース部２０と同心状に突出する中空円筒状のポスト部３０とを有し、ポスト部３０の上端（３４）（が規定する上端面）は上端開口３０’として開放している。ポスト部３０は、ポスト部３０を成す金属板を先端３４から半径方向内側かつ下方に折り返した折返片３５を有する。折返片３５の基端であるポスト部３０の先端３４は、詳しくは後述するが、ボタン５０（図４等参照）の生地ｃへの取り付け時に生地ｃの切断及び貫通を容易にするために鋭利な環状のエッジ（以下「先端エッジ」ともいう）３４として形成される。ポスト部３０の下端は、ベース部２０の下面の中央において下端開口３０”として開放している。カバー部材４０は、止具本体１０に対しベース部２０を下方から覆うように装着され、ポスト部３０の下端開口３０”はカバー部材４０によって閉じられる。
【００２３】
ポスト部３０（折返片３５を除く）は、ベース部２０から次第に立ち上がり、（内外面の）縦断面が湾曲状となるポスト基端部３１と、ポスト基端部３１から上方に延び、外径が上方へとわずかに縮小しながら（内外面の）縦断面が直線状となるポスト胴部３２と、ポスト胴部３２の上端から外径が半径方向外側へと拡張する、上述した先端エッジ３４を含むポスト先端部３３とに区分される。ポスト先端部３３の外径は、図３に拡大して示すように、ポスト胴部３２の縦断面直線状の外周面の上端から上方へと次第に拡大して最大となった後、先端エッジ３４へと緩やかにわずかに縮小する。ポスト部３０の先端エッジ３４の直径は、ポスト胴部３２の全域の外径よりも大きい。ポスト胴部３２、ポスト先端部３３及び折返片３５の厚さは、折返片３５の折り返し部分である先端エッジ３４付近を除き、ポスト胴部３２の下端から上端へ、次いで、ポスト先端部３３を経て折返片３５の上端（基端）から下端（先端）へと次第に薄くなる。このように、ポスト胴部３２の下端から折返片３５の先端へと厚さが薄くなるため、厚さが一定の場合に比べ、折返片３５を折り返す際の負荷が小さく、加工性が良い。なお、折返片３５の折り返しにより、上記先端エッジ３４付近は、ポスト先端部３３と折返片３５が重なりあってそれぞれの厚みが加えられるため、厚さが増している。
【００２４】
折返片３５は、その内周に、先端エッジ３４から半径方向内側へと内径が急激に縮小し、傾斜が緩やかな第１傾斜面３５ａと、第１傾斜面３５ａの半径方向内側端から折返片３５の下端まで内径が若干縮小し、傾斜が急な第２傾斜面３５ｂとを有する。第１傾斜面３５ａは、ポスト先端部３３の外周面と共に鋭利なエッジ３４を成す。折返片３５は、下端への縮径を容易にするため、部分的に下端から上方へと三角形状に切り欠かれている。折返片３５の軸方向長さは、ポスト先端部３３のそれを上回り、ポスト部３０のベース部２０からの高さ（軸方向長さ）の約１／４程度である。
【００２５】
ベース部２０は、ポスト基端部３１の下端から半径方向外側へと水平に延びるベース底部２１と、ベース底部２１の半径方向外側においてベース底部２１に対し上方に隆起するベースフランジ部２２とを含む。ベースフランジ部２２は、ベース底部２１の半径方向外側端から半径方向外側へと次第に高くなって傾斜するフランジ傾斜部２２ａと、フランジ傾斜部２２ａの半径方向外側端から半径方向外側へと水平に延びるフランジ水平部２２ｂとを有する。カバー部材４０は、ポスト部３０の下端開口３０”を含むベース底部２１の下面を覆う水平な円板状のカバー基部４１と、カバー基部４１の半径方向外側端から、ベース部２０の半径方向外側端部を包み込むように断面Ｃ字状に上方へと折り返されて、フランジ水平部２２ｂ上にて終端する湾曲外周部４２とを有する。湾曲外周部４２は、ベース部２０のフランジ水平部２２ｂよりも上方に隆起する。
【００２６】
図４は、生地ｃに対しボタン（ここでは飾りボタンを例示する）５０を取り付ける際のボタン５０、生地ｃ、及びボタン用止具１の上下方向（軸方向）における配置状態を示す。なお、ボタン５０とボタン用止具１は本発明に係るボタン構成体の一実施形態である。図４の状態において、図示はしないが、ボタン５０は周知のプレス機の昇降部に保持され、止具１は下方ダイに載置されてボタン５０と同心状となる。ボタン５０は、金属板を絞り加工して成る周知のものであり、上方に半球状に膨らむ中央の凸部５１と、凸部５１の下端部５２から半径方向外側かつ上方に折り返され、半径方向外側へと若干拡径しながら凸部５１の頂端を若干超えるまで上方に延びて凸部５１を囲む周側部５５と、周側部５５の上端から半径方向外側へと若干下りながら延び、半径方向外側端が凸部５１の頂端とほぼ同じ高さとなる環状のフランジ部５６とを有する。凸部５１は下端付近に下端開口５３を有し、また、凸部５１の内部に、ボタン５０の生地ｃへの取り付け時に止具１のポスト部３０を下端開口５３から受け入れて、変形させて係止するための空間であるポスト受入部５４が規定される。周側部５５の折り返し部分である凸部５１の下端部５２は、縦断面が半円形状で、その直径はボタン５０を成す金属板の厚さの二枚分にほぼ等しい。凸部５１の内径すなわちポスト受入部５４の直径は、下端開口５３よりも上方の位置５４’で最大となり、この最大内径位置５４’から下端開口５３へと若干縮小した後、下端部５２における最下端点５２’へと再び拡大する。すなわち、下端開口５３は、下端部５２の最下端点５２’よりもわずかに上方で、凸部５１の下端付近において内径が最小となる位置にある。下端開口５３の直径は、止具１のポスト部３０の先端エッジ３４の直径とほぼ同じである。凸部５１の下端部５２は、上述したように断面半円形状であるため、後述する止具１の先端エッジ３４による生地ｃの切断時に生地ｃを効果的に押さえることができる。そのため、以下、凸部５１の下端部５２を「生地押さえ部５２」ともいう。
【００２７】
ボタン５０をボタン用止具１を用いて生地ｃに取り付けるに当たり、図４に示す状態からボタン５０を降下させることにより、図５に示すように生地ｃがボタン５０と止具１によって挟み付けられ、次いで、図６に示すように止具１のポスト部３０がその先端エッジ３４から生地ｃを切断、貫通した後、ボタン５０のポスト受入部５４内へと入り込む。図５の生地ｃの切断直前時点で、生地ｃは、ボタン５０の生地押さえ部５２と止具１のポスト部３０の先端エッジ３４との間で圧縮されて環状に薄くなり、この半径方向内側部分は、ボタン５０の下端開口５３からポスト受入部５４に入り込んでいる。この状態からエッジ３４が相対的に上昇して生地ｃを切断するが、この際、止具１の折返片３５の第１傾斜面３５ａが生地ｃを持ち上げつつ生地ｃの姿勢を保つため、エッジ３４の効きを高め、エッジ３４による生地ｃの切断を円滑に行わせる働きをする。エッジ３４によって切断された円形状の生地屑ｃ’は、そのままポスト受入部５４内に受け入れられる。
【００２８】
生地ｃを貫通してボタン５０の下端開口５３からポスト受入部５４内へと入り込んだポスト部３０は、図７に示すように、エッジ３４が凸部５１の内側面に沿って上方へと案内されながら次第に上端開口３０’の径が縮小するように塑性変形した後、最終的に図８に示すように軸方向に潰されて係止される。図７の時点で、生地屑ｃ’はポスト部３０の上端開口３０’からポスト部３０内へと取り込まれるため、生地屑ｃ’がポスト部３０の変形に悪影響を及ぼすことはない。なお、ポスト先端部３３が半径方向外側に拡張しているため、生地屑ｃ’のポスト部３０内への取り込みは円滑に行われる。ポスト部３０内の生地屑ｃ’は、ポスト部３０の下端開口３０”がカバー部材４０によって閉じられているため、生地屑ｃ’は止具１内に留まり（図８参照）、止具１の外部には排出されない。そのため、ボタン５０の取り付け後に生地屑ｃ’を探して取り除くような作業は必要ない。図８のボタン取付完了状態において、止具１のポスト部３０は、ボタン５０の凸部５１の内側面に沿うように、すなわちポスト受入部５４の形状に合致するように潰れて、ポスト受入部５４から離脱不能となり、これにより、ボタン５０と止具１が生地ｃを挟んで相互に連結される。取付完了状態ではまた、ポスト部３０の上端開口３０’が消滅し、生地屑ｃ’が潰れたポスト部３０内に残っている。更に、生地ｃがボタン５０のフランジ部５６と、止具１のカバー部材４０の湾曲外周部４２との間でしっかりと挟み込まれ、圧縮によって薄くなっている。湾曲外周部４２は、ベース部２０のベース底部２１よりも上方に隆起するフランジ水平部２２ｂよりも更に上方に来るため、フランジ部５６との間隔を狭めて、薄い生地ｃでも確実にボタン５０を取り付けることができる。
【００２９】
図９〜１１は、本発明の別の実施形態に係るボタン用止具６１、７１、８１の縦断面図であり、これら止具６１、７１、８１は、止具本体１０ａ、１０ｂ、１０ｃと、カバー部材４０（止具１と共通するため同じ参照番号を用いる）とから構成され、止具本体１０ａ、１０ｂ、１０ｃは、止具１とは実質的にポスト先端部と折返片の有無のみが異なる。そのため、図９〜１１において、ベース部にも図１等と同じ参照番号２０を付す。
【００３０】
図９に示す止具６１のポスト部９０は、基端から先端へと外径がわずかに縮小しかつ縦断面が直線状に延び、上端９４に上端開口９０’を有する。ポスト先端部９３はポスト胴部９２に対し半径方向外側に拡張しておらず、また、折返片は設けられていない。図１０に示す止具７１のポスト部１００は、ポスト先端部１０３が、その外径がポスト胴部１０２の上端から上方へと次第に拡大して半径方向外側に拡張している。これにより、上端開口１００’が拡大して、生地屑ｃ’を取り込み易くなっている。ポスト部１００の上端はエッジ１０４として形成され、また、エッジ１０４の径はポスト胴部１０２の外径よりも大きい。なお、折返片は設けられていない。図１１に示す止具８１のポスト部１１０は、止具１と同様にポスト胴部１１２より半径方向外側に拡張するポスト先端部１１３を含み、止具１とは折返片のみが異なる。止具８１の折返片１１５は、ポスト部１１０の先端エッジ１１４から半径方向内側へと緩やかに傾斜するように延びている。この場合、ボタン５０の生地ｃへの取り付け時にポスト部１１０がボタン５０のポスト受入部５４内で変形する際、図示はしないが、折返片１１５が下方かつ半径方向外側に広がり、そこから生地屑ｃ’がポスト部１１０内に取り込まれる。なお、止具６１、７１、８１のポスト部９０、１００、１１０は、止具１のポスト部３０の下端開口３０”と同様の下端開口をそれぞれ有する。
【００３１】
図１２は、ボタン５０とは別の形態の飾りボタンであるボタン１２０をボタン用止具１（図１等に示すボタン用止具と実質的に同じものであるため、同じ参照番号を付す）で生地ｃに取り付けた状態を示す図８と同様の断面説明図である。ボタン１２０は、上方に凸となる凸部１２１と、凸部１２１から半径方向外側に延びる環状のフランジ部１２６とを有し、凸部１２１の内部にポスト受入部１２４が規定される。ボタン１２０を生地ｃに取り付け状態において、ボタン用止具１のポスト部３０は、ボタン１２０のポスト受入部１２４に変形して係止され、ボタン１２０のフランジ部１２６とボタン用止具１の湾曲外周部４２との間に生地ｃが挟み込まれ、更に、生地屑ｃ”はポスト部３０内に取り込まれている。なお、ボタン１２０に対するボタン用止具として図９から１１の止具６１、７１、８１を用いることもできる。
【００３２】
図１３は、雄スナップボタンであるボタン１３０をボタン用止具１（図１等に示すボタン用止具と実質的に同じものであるため、同じ参照番号を付す）で生地ｃに取り付けた状態を示す図８と同様の断面説明図である。ボタン１３０は、上方に凸となり、雌スナップボタン（図示せず）の凹部に着脱係合させる凸部１３１と、凸部１３１から半径方向外側に延びる環状のフランジ部１３６とを有し、凸部１３１の内部にポスト受入部１３４が規定される。ボタン１３０を生地ｃに取り付け状態において、ボタン用止具１のポスト部３０は、ボタン１３０のポスト受入部１３４に変形して係止され、ボタン１３０のフランジ部１３６とボタン用止具１の湾曲外周部４２との間に生地ｃが挟み込まれ、更に、生地屑ｃ”（図１２とほぼ同じものであるため、同じ参照番号を付す）はポスト部３０内に取り込まれている。なお、ボタン１３０に対するボタン用止具として図９から１１の止具６１、７１、８１を用いることもできる。
【符号の説明】
【００３３】
１、６１、７１、８１  ボタン用止具
１０、１０ａ、１０ｂ、１０ｃ  止具本体
２０  ベース部
２２ｂ  フランジ水平部
３０、９０、１００、１１０  ポスト部
３０’、９０’、１００’、１１０’  上端開口
３０”  下端開口
３１  ポスト基端部
３２、９２、１０２、１１２  ポスト胴部
３３、９３、１０３、１１３  ポスト先端部
３４、９４、１０４、１１４  ポスト部の先端
３４、１０４、１１４  エッジ（先端エッジ）
３５、１１５  折返片
３５ａ  第１傾斜面
３５ｂ  第２傾斜面
４０  カバー部材（シェル）
４２  湾曲外周部
５０、１２０、１３０  ボタン
５１、１２１、１３１  凸部
５２  半球部の下端部（生地押さえ部）
５３  下端開口
５４、１２４、１３４  ポスト受入部
５６、１２６、１３６  フランジ部
ｃ  生地
ｃ’、ｃ”  生地屑
【図１】
2011074053.tif 000003
【図２】
2011074053.tif 000004
【図３】
2011074053.tif 000005
【図４】
2011074053.tif 000006
【図５】
2011074053.tif 000007
【図６】
2011074053.tif 000008
【図７】
2011074053.tif 000009
【図８】
2011074053.tif 000010
【図９】
2011074053.tif 000011
【図１０】
2011074053.tif 000012
【図１１】
2011074053.tif 000013
【図１２】
2011074053.tif 000014
【図１３】
2011074053.tif 000015
【国際調査報告】
2011074053.tif 000016
2011074053.tif 000017
2011074053.tif 000018
2011074053.tif 000019